(57)【要約】  例示的な実施形態は、マルチチャネル連続掃引ＯＦＤＲ測定システムに光増幅器を追加し、上昇レーザ掃引と下降レーザ掃引との間で増幅される掃引されるレーザ出力パワーを調整し、且つ／或いは、ＯＦＤＲ測定が、典型的には、ＯＦＤＲ測定システムの完全性を高め、ＯＦＤＲ測定の性能及び品質を向上させ、且つ追加的な測定及び試験を実行するように実行されない、レーザ掃引の部分を利用する。
2019521339.tif 000002
【特許請求の範囲】
【請求項１】
複数の光コアを含む光ファイバセンサを測定する光測定システムであって、
第１の測定範囲の波長に亘ってレーザ光を掃引するように構成されるチューナブルレーザと、
該掃引されたレーザ光を増幅する光増幅器と、
該増幅された掃引されたレーザ光を前記光ファイバセンサに提供し、前記光ファイバセンサからの反射光を出力する、光ネットワークであって、前記出力される反射光は、前記複数の光コアの各々の光コアと関連付けられる、光ネットワークと、
前記光ファイバセンサからの前記出力される反射光を検出し、対応する電気信号に変換する、検出回路構成と、
前記光増幅器の利得を制御して、前記掃引されたレーザ光のパワーを制御する、データ処理回路構成とを含む、
光測定システム。
【請求項２】
前記光増幅器は、ポンプレーザ源の出力と前記チューナブルレーザに連結される光スプリッタからのレーザ光の部分とに接続されるエルビウムドープファイバ増幅器（ＥＤＦＡ）で実施される、請求項１に記載の光測定システム。
【請求項３】
当該光測定システムは、前記検出回路構成に連結されるレーザモニタ干渉計と前記光ファイバセンサ及び前記検出回路構成に連結される測定干渉計とを含む前記光ネットワークを備える光周波数領域反射測定法（ＯＦＤＲ）呼掛けシステムであり、
前記チューナブルレーザは、前記検出回路構成が前記チューナブルレーザの下降掃引及び上昇掃引の間に前記光ファイバセンサからＯＦＤＲ測定データを取得するよう、前記第１の測定範囲の波長に亘って連続的に掃引されるように構成される、
請求項１又は２に記載の光測定システム。
【請求項４】
前記データ処理回路構成は、前記チューナブルレーザの前記上昇掃引と前記下降掃引との間のレーザパワー不均衡又は変動を補償するために、前記光増幅器の前記利得を制御するように構成される、請求項３に記載の光測定システム。
【請求項５】
前記データ処理回路構成は、前記第１の測定範囲の波長内の複数の異なる周波数で前記光増幅器の前記利得を補正するように構成される、請求項３に記載の光測定システム。
【請求項６】
前記データ処理回路構成は、前記第１の測定範囲の波長に亘って実質的に一定なレーザパワーレベルを維持するために、前記光増幅器の前記利得を制御するように構成される、請求項３に記載の光測定システム。
【請求項７】
前記データ処理回路構成は、前記光増幅器の前記利得を前記チューナブルレーザの前記上昇掃引のための第１の利得及び前記チューナブルレーザの前記下降掃引のための第２の異なる利得に制御するように構成される、請求項３に記載の光測定システム。
【請求項８】
複数の光コアを含む光ファイバセンサを測定する光周波数領域反射測定法（ＯＦＤＲ）呼掛けシステムであって、
第１の測定範囲の波長に亘ってレーザ光を掃引し、掃引されたレーザ出力信号を生成する、ように構成される、チューナブルレーザと、
既知の信号を前記掃引されたレーザ出力信号に加える変調器と、
前記掃引されたレーザ光を前記光ファイバセンサに提供し、前記光ファイバセンサからの反射光を出力する、光干渉ネットワークであって、前記出力される反射光は、センサ測定データに対応する前記複数の光コアの各光コアと関連付けられる、光干渉ネットワークと、
前記光ファイバセンサからの前記出力される反射光を検出し、対応する電気信号に変換する、検出回路構成と、
前記加えられる既知の信号に基づいて、前記第１の測定範囲の波長内の前記チューナブルレーザの掃引中に取得される前記センサ測定データを処理する、データ処理回路構成とを含む、
ＯＦＤＲ呼掛けシステム。
【請求項９】
前記データ処理回路構成は、前記加えられる既知の信号に基づいて、前記光干渉ネットワーク、前記光ファイバセンサ、及び前記検出回路構成のうちの１つ又はそれよりも多くによって引き起こされる遅延からの誤差を決定するように構成される、請求項８に記載のＯＦＤＲ呼掛けシステム。
【請求項１０】
レーザドライバを更に含み、前記変調器は、前記レーザドライバの出力に連結される、請求項８又は９に記載のＯＦＤＲ呼掛けシステム。
【請求項１１】
前記変調器は、デジタルアナログ変換器に連結されるコントローラと、フィルタとを含み、前記デジタルアナログ変換器は、電圧制御される発振器を駆動させるように構成され、前記フィルタは、前記電圧制御される発振器からの出力をフィルタリングして、前記既知の信号を生成する、請求項８又は９に記載のＯＦＤＲ呼掛けシステム。
【請求項１２】
前記変調器は、数値制御される発振器と、フィルタとを含み、前記数値制御される発振器は、クロック信号を提供するために使用される最上位ビットを有するバイナリ信号を生成し、前記フィルタは、前記クロック信号をフィルタリングして、前記既知の信号を生成する、請求項８又は９に記載のＯＦＤＲ呼掛けシステム。
【請求項１３】
Ｎ個の光コアがあり、前記Ｎは、３よりも大きい正の整数であり、前記変調器は、Ｎ個の光コアに対応するＮ個の位相信号とＮ−１個の位相差信号とを生成する、数値制御される発振器を含む、請求項８又は９に記載のＯＦＤＲ呼掛けシステム。
【請求項１４】
前記データ処理回路構成は、前記Ｎ−１個の位相差信号に基づいて前記センサ測定データ内に位相誤差を決定するように構成される、請求項１３に記載のＯＦＤＲ呼掛けシステム。
【請求項１５】
前記チューナブルレーザは、レーザ光波長が前記第１の測定範囲の波長内で最小波長から最大波長に増大する上昇掃引と、前記レーザ光波長が前記第１の測定範囲の波長内で前記最大波長から前記最小波長に減少する下降掃引と、前記上昇掃引と前記下降掃引との間で移行するターンアラウンド部分とを含めることによって、第１の測定範囲の波長に亘ってレーザ光を掃引するように構成され、
前記変調器は、前記ターンアラウンド部分の間に前記既知の信号を前記掃引されるレーザ出力信号に加えるよう制御されるように構成される、
請求項１４に記載のＯＦＤＲ呼掛けシステム。
【請求項１６】
前記チューナブルレーザは、レーザ光波長が前記第１の測定範囲の波長内で最小波長から最大波長に増大する上昇掃引と、前記レーザ光波長が前記第１の測定範囲の波長内で前記最大波長から前記最小波長に減少する下降掃引とを含めることによって、前記第１の測定範囲の波長に亘ってレーザ光を掃引するように構成され、
前記変調器は、前記第１の測定範囲の波長の外側の波長で前記既知の信号を前記掃引されるレーザ出力信号に加えるよう制御されるように構成される、
請求項１４に記載のＯＦＤＲ呼掛けシステム。
【請求項１７】
複数の光コアを含む光ファイバセンサを測定する光周波数領域反射測定法（ＯＦＤＲ）呼掛けシステムであって、
レーザ光波長が第１の測定範囲の波長内で最小波長から最大波長に増大するチューナブルレーザの上昇掃引と、前記レーザ光波長が前記第１の測定範囲の波長内で前記最大波長から前記最小波長に減少する前記チューナブルレーザの下降掃引と、前記上昇掃引と前記下降掃引との間で移行するターンアラウンド部分とを含めることによって、前記第１の測定範囲の波長に亘って掃引するように構成される前記チューナブルレーザと、
前記掃引されるレーザ光を前記光ファイバセンサに提供し、前記光ファイバセンサから反射光を出力する、光干渉ネットワークであって、前記出力される反射光は、センサ測定データに対応する前記複数の光コアの各光コアと関連付けられる、光干渉ネットワークと、
前記光ファイバセンサからの前記出力される反射光を検出し、対応する電気信号に変換する、検出回路構成と、
前記第１の測定範囲の波長内の前記チューナブルレーザの前記上昇掃引及び前記下降掃引の間に取得される前記センサ測定データを処理し、前記ターンアラウンド部分の間に追加的な操作を実行する、データ処理回路構成とを含む、
ＯＦＤＲ呼掛けシステム。
【請求項１８】
前記追加的な操作は、前記第１の測定範囲の外側の掃引されるレーザ波長で追加的な測定を実行する、請求項１７に記載のＯＦＤＲ呼掛けシステム。
【請求項１９】
前記第１の測定範囲の外側の前記掃引されるレーザ波長の一部についての前記チューナブルレーザの掃引速度は、前記第１の測定範囲の波長内の波長についての前記チューナブルレーザの掃引速度よりも遅い、請求項１８に記載のＯＦＤＲ呼掛けシステム。
【請求項２０】
前記追加的な操作は、上昇掃引及び前記下降掃引内の前記掃引されるレーザ光のパワーレベルを平衡させる、請求項１７に記載のＯＦＤＲ呼掛けシステム。
【請求項２１】
前記追加的な操作は、前記光ファイバセンサのために散乱ベースのＯＦＤＲ測定を行うことを含む、請求項１７又は請求項１８乃至２０のうちのいずれか１項に記載のＯＦＤＲ呼掛けシステム。
【請求項２２】
前記光ファイバセンサは、前記第１の測定範囲の刃町内の光反射をもたらすファイバブラッググレーティングを含み、前記追加的な操作は、前記光反射から波長内で分離される散乱ベースのＯＦＤＲ測定を行うことを含む、請求項１７又は請求項１８乃至２０のうちのいずれか１項に記載のＯＦＤＲ呼掛けシステム。
【請求項２３】
前記追加的な操作は、システムダイナミクスに応答してシステム内確認又は調整を実行することを含む、請求項１７又は請求項１８乃至２０のうちのいずれか１項に記載のＯＦＤＲ呼掛けシステム。
【請求項２４】
複数の光コアを含む光ファイバセンサを測定する方法であって、
第１の測定範囲の波長に亘ってレーザ光を掃引するステップと、
該掃引されるレーザ光を増幅するステップと、
該増幅される掃引されるレーザ光を前記光ファイバセンサに提供し、前記光ファイバセンサから反射光を出力する、ステップであって、前記反射光は、前記複数の光コアの各光コアと関連付けられる、ステップと、
前記光ファイバセンサからの前記反射光を対応する電気信号に変換するステップと、
前記掃引されるレーザ光のパワーを制御するために光増幅器の利得を制御するステップとを含む、
方法。
【請求項２５】
前記光増幅器の前記利得を制御するステップは、
前記レーザ光の上昇掃引及び下降掃引の間のレーザパワー不均衡又は変動を補償するよう前記利得を制御するステップを含む、
請求項２４に記載の方法。
【請求項２６】
前記光増幅器の前記利得を制御するステップは、
前記第１の測定範囲の波長内の複数の異なる周波数で前記光増幅器の前記利得を補正するステップを含む、
請求項２４に記載の方法。
【請求項２７】
前記光増幅器の前記利得を制御するステップは、
前記第１の測定範囲の波長に亘って実質的に一定なレーザパワーレベルを維持するよう前記利得を制御するステップを含む、
請求項２４に記載の方法。
【請求項２８】
前記光増幅器の前記利得を制御するステップは、
前記レーザ光の上昇掃引のための第１の利得と前記レーザ光の下降掃引のための第２の利得とを使用するステップを含む、
請求項２４に記載の方法。
【請求項２９】
複数の光コアを含む光ファイバセンサを測定するために光周波数領域反射測定法（ＯＦＤＲ）呼掛けシステムを使用する方法であって、
第１の測定範囲の波長に亘ってチューナブルレーザからのレーザ光を掃引し、掃引されるレーザ出力信号を生成する、ステップと、
既知の信号を前記掃引されるレーザ出力信号に加えるステップと、
光干渉ネットワークを使用して、前記掃引されるレーザ光を前記光ファイバセンサに提供し、前記光ファイバセンサからの反射光を出力する、ステップであって、前記反射光は、センサ測定データに対応する前記複数の光コアの各光コアと関連付けられる、ステップと、
前記光ファイバセンサからの前記反射光を対応する電気信号に変換するステップと、
前記加えられる既知の信号に基づいて、前記第１の測定範囲の波長内の前記レーザ光の掃引中に取得される前記センサ測定データを処理するステップとを含む、
方法。
【請求項３０】
前記第１の測定範囲の波長に亘ってレーザ光を掃引するステップは、
レーザ光が前記第１の測定範囲の波長内で最小波長から最大波長に増大する上昇掃引を含めるステップと、
前記レーザ光が前記第１の測定範囲の波長内で最大波長から最小波長に減少する下降掃引を含めるステップと、
前記上昇掃引と前記下降掃引との間で移行するターンアラウンド部分を含めるステップとを含む、
請求項２９に記載の方法。
【請求項３１】
前記既知の信号は、前記ターンアラウンド部分の間に前記掃引されるレーザ出力信号に加えられる、請求項３０に記載の方法。
【請求項３２】
前記第１の測定範囲の波長に亘ってレーザ光を掃引するステップは、
レーザ光が前記第１の測定範囲の波長内で最小波長から最大波長に増大する上昇掃引を含めるステップと、
前記レーザ光が前記第１の測定範囲の波長内で最大波長から最小波長に減少する下降掃引を含めるステップとを含み、
前記既知の信号を前記掃引されるレーザ出力信号に加えるステップは、前記第１の測定範囲の波長の外側の波長で加えるステップを含む、
請求項２９に記載の方法。
【請求項３３】
複数の光コアを含む光ファイバセンサを測定するために光周波数領域反射測定法（ＯＦＤＲ）呼掛けシステムを使用する方法であって、
レーザ光が第１の測定範囲の波長内で最小波長から最大波長に増大する上昇掃引を含めること、前記レーザ光が前記第１の測定範囲の波長内で最大波長から最小波長に減少する下降掃引を含めること、及び前記上昇掃引と前記下降掃引との間で移行するターンアラウンド部分を含めることによって、第１の波長範囲の波長に亘ってチューナブルレーザからのレーザ光を掃引するステップと、
光干渉ネットワークを使用して、前記掃引されるレーザ光を前記光ファイバセンサに提供し、前記光ファイバセンサからの反射光を出力する、ステップであって、前記反射光は、センサ測定データに対応する前記複数の光コアの各光コアと関連付けられる、ステップと、
前記光ファイバセンサからの前記反射光を対応する電気信号に変換するステップと、
前記上昇掃引及び下降掃引の間に取得される前記センサ測定データを処理するステップと、
前記ターンアラウンド部分の間に追加的な操作を実行するステップとを含む、
方法。
【請求項３４】
前記ターンアラウンド部分の間に追加的な操作を実行するステップは、
前記第１の測定範囲の外側の掃引されるレーザ波長で追加的な測定を実行するステップを含む、
請求項３３に記載の方法。
【請求項３５】
前記第１の測定範囲の外側の掃引されるレーザ波長で追加的な測定を実行するステップは、
前記第１の測定範囲の波長内の掃引波長と比べてより遅い速度で前記第１の測定範囲の外側の前記掃引されるレーザ波長の一部を掃引するステップを含む、
請求項３４に記載の方法。
【請求項３６】
前記ターンアラウンド部分の間に追加的な操作を実行するステップは、
上昇掃引及び下降掃引内で前記掃引されるレーザ光のパワーレベルを平衡させるステップを含む、
請求項３３に記載の方法。
【請求項３７】
前記ターンアラウンド部分の間に追加的な操作を実行するステップは、
前記光ファイバセンサのために散乱ベースのＯＦＤＲ測定を行うステップを含む、
請求項３３に記載の方法。
【請求項３８】
前記光ファイバセンサは、第１の測定範囲の波長内の光反射をもたらすファイバブラッググレーティングを含み、
前記ターンアラウンド部分の間に追加的な操作を実行するステップは、
前記光反射から波長内で分離される散乱ベースのＯＦＤＲ測定を行うステップを含む、
請求項３３に記載の方法。
【請求項３９】
前記ターンアラウンド部分の間に追加的な操作を実行するステップは、
システムダイナミクスに応答してシステム内確認又は調整を実行するステップを含む、
請求項３３に記載の方法。
【発明の詳細な説明】
【技術分野】
【０００１】
（関連出願の参照）
この出願は、２０１６年６月２９日に出願された「METHODS  AND  APPARATUS  FOR  OFDR  INTERROGATOR  MONITORING  AND  OPTIMAZATION」という名称の米国仮特許出願第６２／３５５，９５７号の優先権及び利益を主張し、その全体を参照として本明細書に援用する。
【０００２】
この出願に記載する技術は、光ファイバ形状検出のために使用される光周波数領域反射測定法(Optical  Frequency  Domain  Reflectometry)（ＯＦＤＲ）測定値(measurements)に関し、それらのＯＦＤＲ測定値の精度(accuracy)及び信頼性(reliability)を向上させるデータ処理技術に関する。
【背景技術】
【０００３】
光学ひずみ感知(optical  strain  sensing)は、例えば、光ファイバの張力、圧縮、又は温度の変化によって引き起こされる、導波路の物理的変形を測定するのに有用な技術である。マルチコア光ファイバは、単一のファイバ内に埋め込まれた幾つかの独立した導波路で構成される。典型的には、光周波数領域反射率測定法（ＯＦＤＲ）測定値の形態の掃引波長干渉法(swept  wavelength  interometry)を使用して、コアの光学応答を解釈することによって、コアの長さに沿うひずみの連続的な測定値を導き出すことができる。ファイバの長さに沿うコアの相対位置の知識を用いて、これらの独立したひずみ信号を組み合わせて、マルチコア光ファイバに加えられるひずみプロファイルの測定値を取得してよい。ファイバのひずみプロファイルは、高い（例えば、５０マイクロメートル未満の）サンプル分解能でファイバの長さに沿って加えられる曲げひずみ(bend  strain)、ねじりひずみ(twist  strain)、及び／又は軸方向ひずみ(axial  strain)の測定値に言及する。
【０００４】
以前の特許は、マルチコア光ファイバを用いたＯＦＤＲベースの形状感知を記載している（例えば、参照として援用する米国特許第７，７８１，７２４号及び第８，７７３，６５０号を参照）。ＯＦＤＲベースの形状感知ファイバの幾つかの用途は、形状感知出力の精度及び信頼性に関して高度の信用(confidence)を要求する。非限定的な例示的な用途は、外科又は他の環境において使用されるロボットアームである。
【０００５】
ＯＦＤＲ測定システムには、３つの基本要素、即ち、光、光が横断する媒体（例えば、ファイバ導波路）、及び光を検出して光を電気信号に変換する受信器がある。これらの基本要素の各々は、実行される測定の精度に寄与する。例示的な光ファイバ形状感知システムが図１に示されており、それは（本明細書において「センサ３」又は「ＤＵＴ３」とも呼ぶ）光ファイバセンサ／試験下デバイス（ＤＵＴ）３に連結される光ネットワーク２に異なる周波数又は波長で光を提供するために掃引されるチューナブルレーザ１(tunable  laser)を含む。波長又は周波数の同調範囲に亘るチューナブルレーザによる各走査（スキャン）は、ＯＦＤＲ測定データのセットを生成する。光ネットワーク２は、光情報を電気信号に変換する検出器、アナログ電気信号をデジタル電気信号に変換するアナログ対デジタル変換器、及び取得データを処理し且つ取得を制御するフィールドプログラマブルゲートアレイ（ＥＦＧＡ）を含む、検出、取得、及び制御エレクトロニクス４(detection,  acquisition,  and  control  electronics)に連結される。検出、取得、及び制御エレクトロニクス４は、ファイバの形状を計算することのような更なる処理、最終的には、ファイバセンサ／ＤＵＴ３からの情報の出力のために、プロセッサ５に出力を供給する。プロセッサ５は、追加的に又は代替的に、ＦＰＧＡ又はＧＰＵを含むことがある。
【０００６】
図１に示す例示的な光ファイバ形状感知システムにおいて、形状測定は、マルチコア光ファイバセンサである媒体から反射される光を正確に検出する能力を含む、幾つかの要因に依存する。ＯＦＤＲベースの光ファイバ形状感知は、ファイバセンサの各コアにおけるポイントツーポイント長の変化を検出し、ＯＦＤＲ測定システムの精度及びノイズは、光ファイバセンサ内への光の反復的な伝送及び測定毎の反射光の反復可能な検出に依存する。光周波数領域及び時間領域における異なる周波数（ＯＦＤＲにおいてレーザは波長又は周波数の測定範囲を通じて掃引又は走査される）での反射光の検出は、正確な光ファイバ形状測定を達成するために重要である。感知ファイバにおける物理的変化の結果でないＯＦＤＲ走査間の差(scan-to-scan  differences)又は走査間の差(inter-scan  differences)は、それらが縮小又は補正されないならば、ＯＦＤＲ測定データに誤差を導入し得る。例示的な誤差源は、レーザ同調速度の変動、光出力パワーの変動、干渉計の光路長の変化、コア間の遅延シフト、ＯＦＤＲチャネルにおける電気信号の遅延を含む。
【０００７】
コア間の検出回路の相対的遅延が一定であると仮定すると、コア間の位相変化は、感知ファイバに行われる物理的変化に起因するものと解釈されることができる。しかしながら、本発明者は、これらの遅延関係が時間の経過と共に変化し、温度と共に変化し、且つ／或いは呼掛けデバイスの故障によって影響されることを発見した。データ取得及び処理に導入される遅延シフトは、ＯＦＤＲ測定値に誤差を導入し、それは感知ファイバ形状への物理的変化として間違って解釈される。加えて、レーザ走査間の光パワーレベルの変化も、ＯＦＤＲ測定誤差をもたらし得る。そのような光パワーレベルの変化は、ＯＦＤＲ測定が行われる光周波数範囲に亘るレーザの上昇掃引と下降掃引との間の一致しない信号対雑音比（ＳＮＲ）及び／又は変化するＳＮＲをもたらし得る。
【発明の概要】
【０００８】
例示的な実施形態は、複数の光コアを含む光ファイバセンサを測定する光測定システムを含む。チューナブルレーザが、第１の測定範囲の波長に亘ってレーザ光を掃引し、光増幅器が、掃引されたレーザ光を増幅する。光ネットワークが、増幅された掃引されたレーザ光を光ファイバセンサに提供し、複数の光コアの各光コアと関連付けられる、光ファバセンサからの反射光を出力する。検出回路構成が、光ファイバセンサからの出力される反射光を検出し、対応する電気信号に変換する。データ処理回路構成が、光増幅器の利得を制御して、掃引されたレーザ光のパワーを制御する。
【０００９】
光増幅器は、例えば、ポンプレーザ源の出力とチューナブルレーザに連結される光スプリッタからのレーザ光の部分とに接続されるエルビウムドープファイバ増幅器（ＥＤＦＡ）で実施されてよい。
【００１０】
例示的な光測定システムは、光周波数領域反射測定法（ＯＦＤＲ）呼掛けシステムである。光ネットワークは、検出回路構成に連結されるレーザモニタ干渉計と、光ファイバセンサ及び検出回路構成に連結される測定干渉計とを含む。チューナブルレーザは、検出回路構成がチューナブルレーザの下降掃引及び上昇掃引の間に光ファイバセンサからＯＦＤＲ測定データを取得するよう、第１の測定範囲の波長に亘って連続的に掃引する。
【００１１】
例示的な実施において、データ処理回路構成は、チューナブルレーザの上昇掃引及び下降掃引の間にレーザパワー不均衡又は変動を補償するために光増幅器の利得を制御し、第１の測定範囲の波長内の複数の異なる周波数で光増幅器の利得を補正し、第１の測定範囲の波長に亘って実質的に一定なレーザパワーレベルを維持するために光増幅器の利得を制御し、光増幅器の利得をチューナブルレーザの上昇掃引のための第１の利得及びチューナブルレーザの下降掃引のための第２の異なる利得に制御する。
【００１２】
他の例示的な実施形態は、複数の光コアを含む光ファイバセンサを測定する光周波数領域反射測定法（ＯＦＤＲ）呼掛けシステムを含む。チューナブルレーザが、第１の測定範囲の波長に亘ってレーザ光を掃引し、掃引されたレーザ出力信号を生成する。変調器が、既知の信号を掃引されたレーザ出力信号に加える。光干渉ネットワークが、掃引されたレーザ光を光ファイバセンサに提供し、センサ測定データに対応する複数の光コアの各光コアと関連付けられる、光ファイバセンサからの反射光を出力する。検出回路構成が、光ファイバセンサからの出力される反射光を検出し、対応する電気信号に変換する。データ処理回路構成が、加えられる既知の信号に基づいて、第１の測定範囲の波長内のチューナブルレーザの掃引中に取得されるセンサ測定データを処理する。
【００１３】
データ処理回路構成は、加えられる既知の信号に基づいて、光干渉ネットワーク、光ファイバセンサ、及び検出回路構成のうちの１つ又はそれよりも多くによって引き起こされる、遅延から誤差を決定するように構成されてよい。
【００１４】
例示的な実施構成は、レーザドライバを含み、変調器は、レーザドライバの出力に連結される。変調器は、電圧制御される発振器を駆動させるデジタルアナログ変換器に連結されるコントローラと、電圧制御される発振器からの出力をフィルタリングして既知の信号を生成するフィルタとを含む。他の例示的な変調器は、クロック信号を提供するために使用される最上位ビットを有するバイナリ信号を生成する数値制御される発振器と、クロック信号をフィルタリングして既知の信号を生成するフィルタとを含む。ファイバは、Ｎ個の光コアを有してよく、Ｎは、３よりも大きい正の整数であり、変調器は、Ｎ個の光コアに対応するＮ個の位相信号とＮ−１個の位相差信号とを生成する、数値制御される発振器を含む。センサ測定データ内の位相誤差は、Ｎ−１個の位相差信号に基づいてよい。
【００１５】
チューナブルレーザ掃引は、レーザ光波長が第１の測定範囲の波長内で最小波長から最大波長に増大する上昇掃引と、レーザ光波長が第１の測定範囲の波長内で最大波長から最小波長に減少する下降掃引とを含んでよい。レーザ掃引は、上昇掃引と下降掃引との間で移行するターンアラウンド部分を含む。変調器は、ターンアラウンド部分の間に既知の信号を掃引されるレーザ出力信号に加えるよう制御されてよい。代替的に、変調器は、第１の測定範囲の波長の外側の波長で既知の信号を掃引レーザ出力信号に加えるよう制御されてよい。
【００１６】
一層更なる例示的な実施形態は、チューナブルレーザを有するＯＦＤＲ呼掛けシステムを含み、チューナブルレーザは、レーザ光波長が第１の測定範囲の波長内で最小波長から最大波長に増大するチューナブルレーザの上昇掃引と、レーザ光波長が第１の測定範囲の波長内で最大波長から最小波長に減少するチューナブルレーザの下降掃引とを含む、第１の測定範囲の波長に亘って掃引する。レーザ掃引は、上昇掃引と下降掃引との間で移行するターンアラウンド部分を含む。光干渉ネットワークが、増幅される掃引されるレーザ光を光ファイバセンサに提供し、センサ測定データに対応する複数の光コアの各光コアと関連付けられる、光ファイバセンサから反射光を出力する。検出回路構成が、光ファイバセンサからの出力される反射光を検出し、対応する電気信号に変換する。データ処理回路構成が、第１の測定範囲の波長内のチューナブルレーザの上昇掃引及び下降掃引の間に取得されるセンサ測定データを処理し、レーザ掃引のターンアラウンド部分の間に追加的な操作を実行する。
【００１７】
例えば、追加的な操作は、所定の範囲内の掃引レーザ波長以外の掃引レーザ波長で追加的な測定を実行することであってよい。この状況では、他の掃引されるレーザ波長の一部についてのレーザの掃引速度が、第１の測定範囲の波長内のチューナブルレーザの掃引のためのレーザの掃引速度よりも遅くてよい。
【００１８】
他の例示的な追加的な操作は、上昇掃引及び下降掃引内の掃引されるレーザ光のパワーレベルを平衡させて、光ファイバセンサのための散乱ベースのＯＦＤＲ測定を行い、システムダイナミクス(system  dynamics)に応答してシステム内確認又は調整(in-system  checks  or  adjustments)を実行することを含む。
【００１９】
光ファイバセンサが第１の測定範囲の波長内の光反射を提供するファイバブラッググレーティングを含むならば、他の例示的な追加的な操作は、格子反射から波長内で分離される散乱ベースのＯＦＤＲ測定を行うことを含む。
【図面の簡単な説明】
【００２０】
【図１】例示的なＯＦＤＲ測定システムを示している。
【００２１】
【図２】レーザ掃引又は走査における地点の周りに回転を示すグラフである。
【００２２】
【図３】例示的な実施形態に従った例示的なＯＦＤＲ測定システムを示している。
【００２３】
【図４】例示的な実施形態に従ったより詳細な例示的なＯＦＤＲ測定システムを示している。
【００２４】
【図５】補正を伴わないＯＦＤＲシステム内の例示的な下降シアン化水素（ＨＣＮ）ガスセルパワーレベル対上昇シアン化水素（ＨＣＮ）ガスセルパワーレベルを示すグラフである。
【００２５】
【図６Ａ】例示的なレーザ掃引を示すグラフである。
【図６Ｂ】例示的なポンプレーザパワーを示すグラフである。
【００２６】
【図７】補正を伴うＯＦＤＲシステム内の例示的な下降シアン化水素（ＨＣＮ）ガスセルパワーレベル対上昇シアン化水素（ＨＣＮ）ガスセルパワーレベルを示すグラフである。
【００２７】
【図８】ＯＦＤＲ測定システムにおいてＥＤＦＡを実施するための並びに上昇及び下降レーザ掃引のためにレーザパワー出力を平衡させるためにポンプレーザ利得を調整するための例示的な手順を例示するフローチャートである。
【００２８】
【図９】レーザ駆動システムの図である。
【００２９】
【図１０】図１２中のレーザ駆動システムに変調を加える図である。
【００３０】
【図１１】第１の例示的なレーザ変調器アプローチを示している。
【００３１】
【図１２】第２の例示的なレーザ変調器を示している。
【００３２】
【図１３】例示的な実施形態に従った変調及び測定のための装置である。
【００３３】
【図１４】例示的な実施形態に従ってレーザを変調するために使用される同じ信号で混合することによる位相計算のための例示的な装置である。
【００３４】
【図１５】レーザダイオードリップル注入を使用して遅延監視を実行する例示的な手順を例示するフローチャートである。
【００３５】
【図１６Ａ】線形化前の帯域外レーザ変調を示すグラフである。
【図１６Ｂ】線形化後の帯域外レーザ変調を示すグラフである。
【００３６】
【図１７Ａ】レーザ同調ターンアラウンドでのレーザ変調を示すグラフである。
【図１７Ｂ】レーザ同調ターンアラウンドでのレーザ変調を示すグラフである。
【００３７】
【図１８】例示的な実施形態に従って追加的な測定を行うための拡張ターンアラウンド地点を示すグラフである。
【００３８】
【図１９】例示的な実施形態に従った典型的なより高速な掃引部分に加えて例示的な帯域外の遅いレーザ掃引部分を示すグラフである。
【００３９】
【図２０Ａ】速い掃引部分を示すグラフである。
【図２０Ｂ】遅い帯域外の掃引部分を示すグラフである。
【００４０】
【図２１】レーザ掃引エッジおよびターンアラウンドを利用して追加的な測定を実行する例示的な手順を例示するフローチャートである。
【００４１】
【図２２】例示的な実施形態に従った例示的なＯＦＤＲ測定システムを示している。
【００４２】
【図２３】ロボット手術アームへの光ファイバ形状感知システムの例示的な使用を示している。
【発明を実施するための形態】
【００４３】
以下の記述は、限定ではなく説明の目的のための具体的な実施形態のような特定の詳細を示す。しかしながら、これらの特定の詳細から離れて、他の実施形態が利用されてよいことが、当業者によって理解されるであろう。幾つかの場合において、周知の方法、インターフェース、回路、及びデバイスの詳細な記述は、不要な詳細で記述を不明瞭にしないよう省略されている。個々のブロックは、様々なノードに対応する図に示されている。当業者は、それらのブロックの機能が、個々のハードウェア回路を使用して、適切にプログラムされたデジタルマイクロプロセッサ又は汎用コンピュータと共にソフトウェアプログラム及びデータを使用して、及び／又は特定用途向け集積回路（ＡＳＩＣ）を使用して、及び／又は１以上（１つ又はそれよりも多く）のデジタル信号プロセッサ（ＤＳＰ）を使用して、実施されてよいことを理解するであろう。ソフトウェアプログラム命令及びデータは、非一時的なコンピュータ可読記憶媒体に格納されてよく、命令がコンピュータ又は他の適切なプロセッサ制御装置によって実行されるとき、コンピュータ又はプロセッサは、それらの命令と関連付けられる機能を実行する。
【００４４】
よって、例えば、本明細書中の図面が例示的な回路又は他の機能ユニットの概念図を表し得ることが、当業者によって理解されるであろう。同様に、任意のフローチャート、状態遷移図、擬似コード、及び同等物は、コンピュータ可読媒体内に実質的に表現されてよく、よって、コンピュータ又はプロセッサが明示的に示されていようがいまいが、そのようなコンピュータ又はプロセッサによって実行されてよい、様々なプロセスを表すことが理解されるであろう。
【００４５】
様々な例示される要素の機能は、コンピュータ可読媒体に格納されるコード化された命令の形態のソフトウェアを実行することができる回路ハードウェア及び／又はハードウェアのようなハードウェアの使用を通じて提供されてよい。よって、そのような機能及び例示される機能ブロックは、ハードウェア実装されるもの及び／又はコンピュータ実装されるもののいずれか、よって、機械実装されるものとして理解されるべきである。
【００４６】
ハードウェア実装に関して、機能ブロックは、デジタル信号プロセッサ（ＤＳＰ）ハードウェア、縮小命令セットプロセッサ、非限定的に特定用途向け集積回路（ＡＳＩＣ）及び／又はフィールドプログラマブルゲートアレイ（ＦＰＧＡ）を含むハードウェア（例えば、デジタル又はアナログ）回路構成、及び（適切である場合には）そのような機能を実行することができる状態機械を含んでよい或いは包含してよいが、それらに限定されない。
【００４７】
コンピュータ実装に関して、コンピュータは、１以上のプロセッサ又は１以上のコントローラを含むよう一般的に理解され、コンピュータ、プロセッサ、及びコントローラという用語は、互換的に利用されることがある。コンピュータ、プロセッサ、又はコントローラによって提供されるとき、機能は、単一の専用コンピュータ又はプロセッサ又はコントローラによって提供されてよく、単一の共有コンピュータ又はプロセッサ又はコントローラによって提供されてよく、或いは複数の個別のコンピュータ又はプロセッサ又はコントローラによって提供されてよく、複数の個別のコンピュータ又はプロセッサ又はコントローラの一部は共有又は分散されてよい。その上、「プロセッサ」又は「コントローラ」という用語は、上述の例示的なハードウェアのような、そのような機能を遂行することができる及び／又はソフトウェアを実行することができる他のハードウェアも指す。
【００４８】
この出願に記載する技術は、光ファイバ測定に影響を及ぼす誤差源を決定し且つ低減し或いは排除する。
【００４９】
（ＯＦＤＲシステムにおける利得増大及び利得均衡）
導入部に記載したように、図１は、例示的なＯＦＤＲ測定システムである。単一のチューナブルレーザ１(tunable  laser)によって、ある範囲の周波数／波長に亘って掃引された非増幅光(unamplified  light)が、光ネットワーク２に案内され、センサ又はＤＵＴ３からの反射光は、光ネットワーク２の基準経路を横断する光と干渉する。結果として得られる光は、検出及び取得エレクトロニクス４によって検出され、デジタル形態に変換され、プロセッサ５において処理されて、所望のＯＦＤＲ測定値、例えば、ファイバセンサ３の形状を提供する。幾つかの場合において、ＯＦＤＲ測定は、光周波数が増加又は減少する、１つのレーザ掃引方向において行われる。更新速度、掃引速度、及び掃引範囲のような、用途要件に依存して、レーザの単一の掃引方向においてだけ所望の測定を行うことが必ずしも適切であるとは限らない。多くの用途は、上昇／増大する(rising/increasing)及び下降／減少する(falling/decreasing)掃引で連続的に掃引されるレーザを必要とする。
【００５０】
連続レーザ掃引の一例が図２に例示されており、図２は、レーザの光周波数を時間の関数として描いている。このプロットの傾きは、レーザの掃引速度を表している。上昇掃引の場合、レーザはより低い光周波数からより高い光周波数に同調される(tuned)。下降掃引の場合、レーザはより高い光周波数からより低い光周波数に同調される。これらの上昇及び下降掃引に加えて、この出願においてレーザターンアラウンド(laser  turnaround)と呼ぶ掃引の追加的な部分があり、それは１つの測定の完了から次の測定の開始までのレーザ掃引の部分を含む。ターンアラウンドは、レーザの掃引速度が遅くなり、最終的に掃引方向を変更し、次に、所望の掃引速度に達するまで反対方向に加速する前の、現在の掃引の継続を含む。
【００５１】
ファイバセンサ３が張力下又は圧縮下にあるとき、ファイバコアはある程度の量の伸長又は短縮を受ける。曲げ、ねじれ、及び全体的な張力は、様々なファイバコアにおいて測定されるひずみの変化を引き起こす。ファイバセンサの曲げ、ねじれ、及びひずみと、各コアのひずみとの間の関係を記述するための行列を形成することができる。例えば、ファイバセンサ内の４つのコアを用いて形状を測定するならば、これらの４つのコアの歪みと、長さの関数としての適用される曲げ、ねじれ、及びひずみとの間の関係は、以下の通りである。
【００５２】
【表１】
2019521339.tif 000003
【００５３】
ここで、εｉ（ｚ）は、センサの下方の距離の関数としてのコア内で測定されたひずみであり、ｚ，αは、曲げに対するひずみに関する定数（「曲げ利得(bend  gain)」）であり、βは、ねじれに対するひずみに関する定数（「ねじれ利得(twist  gain)」）であり、γｉは、ファイバの中心に対するコアｉの径方向場所であり、θｉは、図１Ａ〜図１Ｃ中のコア２のような基準コアに対するコアｉの角度場所であり、Ｂｘ（ｚ）は、センサの下方の距離の関数としてのＸ−Ｚ平面における曲げであり（図２を参照）、Ｂｙ（ｚ）は、距離の関数としてのＹ−Ｚ平面における曲げであり、Ｔ（ｚ）は、距離の関数としてのセンサのねじれであり、Ｅ（ｚ）は、距離の関数としてのセンサに加えられる軸方向ひずみである。
【００５４】
高分解能及び高感度を備えるファイバセンサの長さに沿って反射される光の振幅及び位相の測定が、光周波数領域反射測定法(Optical  Frequency  Domain  Reflectometry)（ＯＦＤＲ）を使用して達成されてよい。
【００５５】
マルチチャネルＯＦＤＲ呼掛けシステムの場合、各チャネルは、ＤＵＴ又はマルチコアファイバセンサのコアに対応する。多チャネルＯＦＤＲ呼掛けシステムでは、各チャネルへのパワーを増加させるために増幅器を追加することが有利であり得る。例示的な実施形態は、エルビウムドープファイバ増幅器(erbium-doped  fiber  amplifier)（ＥＤＦＡ）をＯＦＤＲシステムに追加して、ファイバセンサに結合されるレーザ光のパワーを増加させる。しかしながら、ＥＤＦＡは、新しい変数、即ち、増幅器利得(amplifier  gain)を、ＯＦＤＲ測定システムに導入する。ＥＤＦＡ内のポンプレーザが定電流源によって駆動されるとき、ＥＤＦＡの利得は、掃引レーザが同調される方向、増幅される光の瞬間波長(instantaneous  wavelength)、及び掃引速度又はレーザ速度を含む、様々な要因に依存して異なり得る。
【００５６】
追加されたＥＤＦＡの例示的な実施形態が図３に示されている。検出、取得、及び制御エレクトロニクス４によって制御されるチューナブルレーザ１は、１５２０ｎｍ〜１５６０ｎｍの例示的な波長掃引範囲と共に示されている。検出、取得、及び制御エレクトロニクス４によって制御されるポンプレーザ７が、特定の波長、例えば、９８０ｎｍにある光を、エルビウムドープファイバ増幅器（ＥＤＦＡ）８に提供する。光スプリッタ６が、チューナブルレーザ１からの光を２つの経路、即ち、ＥＤＦＡ８への経路と、光ネットワーク２の基準経路への経路に分割される。ＥＤＦＡ８からの増幅された光は、各ＯＦＤＲ測定チャネルに分割され、ファイバセンサ３を含むマルチコアセンサファイバの各コアに案内される。
【００５７】
図４は、例示的な６コアファイバセンサ用のＯＦＤＲベースの呼掛けシステムに追加されたＥＤＦＡの詳細な例示的な実施形態を示している。この例ではデータ取得エレクトロニクス２０によってというよりもむしろプロセッサ２２によって制御される、周波数チューナブルレーザ１６からの光は、レーザモニタ干渉計１０と測定干渉計１２との間で９０／１０カプラで分割される。レーザモニタ干渉計１０において、光は３×３カプラを使用して３つの経路に分割される。第１の経路は、検出器に進み、レーザパワーを監視する。第２の経路は、シアン化水素（ＨＣＮ）ガスセルを通じて検出器に進み、絶対波長基準を提供する。最終的な経路は、アイソレータ及び他の３×３カプラを通じて２つのファラデー回転子ミラー（ＦＲＭ）に進み、一方の脚は、他方の脚からの既知の遅延差を有する。この干渉計からの戻り信号は、１／Ｑ信号を形成する。１２０度の位相オフセットを用いて、Ｉ／Ｑ信号は、直交信号(quadrature  signals)に変換され、レーザが掃引するときの光周波数の変化を測定するために使用される。
【００５８】
測定干渉計１２に進む光は、干渉計１２の基準ブランチと測定ブランチとの間の９０／１０カプラを使用して分割される。基準ブランチ内の光は、縦続カプラ(cascaded  couplers)を使用して６つの基準信号に分割される。測定ブランチ内の光は、アイソレータを通過し、次に、ある長さのエルビウムドープファイバを通過する。このファイバは、この例では波長分割多重(Wavelength  Division  Multiplexed)（ＷＤＭ）カプラを通じて結合するデータ取得エレクトロニクス２０によってというよりもむしろプロセッサ２２によって制御される、９８０ｎｍポンプレーザ１８からの光が供給される(pumped)。エルビウムドープファイバとポンプレーザ１８とのこの組み合わせは、干渉計の測定ブランチ内の光を増幅する。光は、他のアイソレータを通過し、次に、後続の走査で２つの直交する（又はほぼ直交する）偏光状態の間で光を反転させるよう設定される偏光コントローラを通過する。光は、次に、縦続カプラで６つの測定チャネルに分割される。戻り光は、２×２カプラを使用して６つの基準経路と組み合わされる。次に、これらの組み合わされた信号は、偏光ビームスプリッタ（ＰＢＳ）を通じて、データ取得回路構成２０に入力される各チャネル（Ｃ，Ｉ，Ｊ，Ｋ，Ｕ，Ｖ）のための２つの検出器（Ｓ及びＰ）に進み、偏光ダイバース検出方式(polarization  diverse  detection  scheme)を形成する。これはマルチコアファイバの最大６コアから反射される光の干渉測定を創り出す。６つのチャネル（Ｃ，Ｉ，Ｊ，Ｋ，Ｕ，Ｖ）は、ファンアウトアセンブリ１４(fanout  assembly)を使用してマルチコアファイバセンサ２４の各コアに接続され、ファンアウトアセンブリ１４は、６つの単一のコアファイバ２８を、マルチコアファイバセンサ２４へのコネクタ２５によって接続されるマルチコアケーブル２３内の６つのコアに連結する。コントローラ／データプロセッサ２２は、チューナブルレーザ１６、偏光コントローラ、及び偏光ビームスプリッタを制御し、ポンプレーザ１８も駆動させる。データプロセッサ２２は、データ取得回路構成２０から提供されるフォトダイオード検出器の各々からデータを取得して処理する。
【００５９】
記録されたデータは、測定される各光ファイバコアのための２つの偏光状態Ｓ及びＰについての光周波数の関数としての反射振幅である。コントローラ／データプロセッサ２２は、レーザモニタ干渉計１０からのデータを使用して光周波数に関してこの記録されたデータを線形化することで、それは光周波数の等しい増分で表される。線形化されたデータは、反射光の振幅及び位相を各ファイバコアに沿う光学遅延の関数として表すよう、時間領域にフーリエ変換される。２つの連続する直交偏光走査からのＳ及びＰデータは、ファイバコアにおける複屈折を補償し且つ各コアからの反射光の振幅及び位相のスカラー測定(scalar  measure)を形成するよう、組み合わされる。この組み合わされた複素信号(complex  signal)（振幅及び位相）は、基準走査で記録される干渉計データと比較され、各コアについて結果として得られる位相差／変化は、ファイバの現在の形状を計算するために使用される測定信号である。
【００６０】
測定された位相変化の導関数は、各コアにおけるひずみに比例する。位相をコアｉ内のひずみに関連付ける比例定数γｉは、そのコアについてのひずみ光学係数である。式１を以下のように表すことができる。
【００６１】
【表２】
2019521339.tif 000004
ここで、φｉ’（ｚ）は、ファイバセンサ２４の下方の距離の関数としてのコアｉについての測定された位相変化の導関数である。
【００６２】
ファイバセンサの位置は、最初に各コアにおける位相変化を測定することによって見出され、次に、ひねりを説明しながらファイバに沿って曲げＢｘ（ｚ）及びＢｙ（ｚ）を積分することによって計算されるので、この式の逆が必要とされる。
【００６３】
【表３】
2019521339.tif 000005
ここで、
【００６４】
2019521339.tif 000006
は、形状行列として知られる。
【００６５】
測定ブランチ内のファイバ増幅器を追加は、センサ又はＤＵＴへのパワーの増大という利点をもたらすが、それはレーザの上昇掃引と下降掃引との間のパワー変動の形態においてＯＦＤＲ測定に誤差も導入する。これらの変動の一例が図５のグラフに示されており、図５は、２，９３７，５００ＧＨｚ／ｓで１０ｎｍに亘って行われる掃引間の増幅の差に起因する、上昇レーザ掃引と下降レーザ掃引との間のパワーレベルの差を例示している。センサ又はＤＵＴの代わりに接続された（図４には示されていない）ＨＣＮガスセルを使用して検出されるパワーレベルは、上昇レーザ掃引測定と下降レーザ掃引測定との間の２ｄＢよりも多くの差を示している。図５において、上昇レーザ掃引データ（太い黒線）は下降レーザ掃引データ（細い黒線）との比較のために反転されていることに留意のこと。両方はより高い光周波数からより低い光周波数に表示されている。
【００６６】
ポンプレーザパワーの変化は、エルビウムドープファイバにおける信号及びポンプパワー並びに蛍光寿命の関数である応答時間でＥＤＦＡの利得変化をもたらす。ポンプレーザパワーが調整されると、ＥＤＦＡの出力でのパワーが変化する前に遅延がある。この遅延は、波長の関数としてのＥＤＦＡの利得応答と共に、チューナブルレーザが掃引されるときにＥＤＦＡ出力に影響を与えることがある。ＥＤＦＡの利得が波長の関数としてどのように変化するかを補償するために、出力フィルタでの利得平坦化フィルタ（ＧＦＦ）が追加されてよい。しかしながら、同じ波長でも掃引方向に基づいて変化する利得差がある。また、ＧＦＦは、温度に依存した波長シフトを受ける。
【００６７】
連続的に掃引されるＯＦＤＲシステムでは、チューナブルレーザの光周波数が増加するときに（レーザの上昇掃引）並びに掃引レーザの光周波数が減少するときに（レーザの下降掃引）、ＯＦＤＲ測定データが取得される。光は光増幅器を使用して増幅され、その利得は、上昇掃引のときよりも下降掃引のときにより高い。この利得差は、余り最適でないシステム性能及び余り正確でない測定結果をもたらし得る。
【００６８】
掃引中及び掃引間の不均衡なパワーを補正するために、例示的な実施形態は、所定の地点の間でポンプレーザパワーを異ならせて、ＯＦＤＲシステム内のセンサファイバ又は試験下デバイス（ＤＵＴ）への出力パワーの実質的に一定レベルを維持する。１つの例示的な実施形態において、増幅器利得は、２つの状態、即ち、上昇掃引のための状態と下降掃引のための状態との間で変調される。この実施形態は、パワーが２つのレーザ掃引方向において平衡されることを可能にする。更に、増幅器利得は、ＯＦＤＲ測定データが取得される光周波数範囲に亘ってパワーを平坦化するよう、利得設定地点の追加を用いてレーザ掃引内で変調されてよい。例示的な実施形態は、ターンアラウンドも使用して、上昇レーザ掃引と下降レーザ掃引との間でレーザパワー出力を平衡させるよう調整を行う。１つの例示的な調整は、チューナブルレーザのダイオードを、上昇部分、下降部分、及びターンアラウンド部分を含む、掃引サイクル全体に亘って駆動させる電流を調整することを含む。
【００６９】
例示的な実施形態では、掃引方向に依存する利得差を補償するために、データ、取得、及び制御エレクトロニクス４は、増幅器のポンプレーザパワーを上昇掃引及び下降掃引のための事前較正されたレベルに調整する。具体的には、システムは、ポンプレーザのための２つのパワー状態、即ち、下降掃引のためのパワー状態と上昇掃引のためのパワー状態とを含むように構成される。（調整は、代替的に、プロセッサ５によって制御されてよい）。このポンプレーザパワー切換えの一例が図６Ａ及び図６Ｂに例示されている。
【００７０】
図６Ａ及び図６Ｂを参照すると、下降掃引パワーはそのままにされており、上昇掃引パワーは、下降掃引パワーに一致するよう増加されている。増幅器の利得の応答遅延があるので、ポンプレーザは、レーザターンアラウンドの開始時に下降掃引の完了に続いてより高いパワーレベルに駆動させられる。ターンアラウンドの開始時にポンプレーザパワーレベルを設定することは、増幅器利得が新しいレベルに調整するのに十分な時間をもたらす。
【００７１】
図７は、調整が増幅器のポンプレーザパワーに適用された後の上昇掃引（太線）及び下降掃引（細線）についてのＨＣＮパワーレベルを比較しており、それは上昇レーザ掃引と下降レーザ掃引との間の平均パワー差を０．０２ｄＢ未満に減少させる。
【００７２】
掃引方向に依存する利得を補償するためにポンプレーザパワーを調整することに加えて、ＤＵＴへのパワーを更に平坦化するために、レーザの掃引サイクルの過程の間に２よりも多くの設定地点を含むよう、ポンプレーザパワーを調整することができる。
【００７３】
図８は、ＯＦＤＲ測定システムにおいてＥＤＦＡを実施するための並びにポンプレーザ利得を調整して上昇レーザ掃引及び下降レーザ掃引のためのレーザパワー出力を平衡させるための例示的な手順を例示するフローチャートである。ＥＦＤＡのパワー要件が決定され（ステップＳ１）、ＥＤＦＡは、利得媒体の種類、長さ、及びポンピング方向を含む、利得要件を満たすように構成される（ステップＳ２）。光ネットワーク内のＥＤＦＡの配置が決定され、ＥＤＦＡが光ネットワークに加えられる（ステップＳ３）。チューナブルレーザは、所望の掃引挙動のために構成される（ステップＳ４）。上昇レーザ掃引と下降レーザ掃引との間の利得差が決定される（ステップＳ５）。上昇レーザ掃引と下降レーザ掃引との間のＥＤＦＡ利得を平衡させるために、ポンプレーザパワー設定地点が特定の光周波数で加えられる（ステップＳ６）。ポンプレーザパワー設定地点は、ＥＤＦＡ出力パワーを平衡させるために調整される（ステップＳ７）。
【００７４】
（既知の信号でレーザ出力を変調すること）
光ファイバ感知システムでは、遅延の測定が重要である。測定される１つの遅延は、マルチコアファイバセンサのコア間の遅延変化である。この遅延変化は、各コアについての基準位相からの位相シフト又は位相差に関して測定されることができる。ＯＦＤＲシステムでは、光信号及び対応する電気信号がＯＦＤＲ検出及び取得システムによって検出される前に受ける多くの遅延経路がある。多くの他の遅延の中でも、１つの例示的な遅延は、検出及び取得システムを通じたフォトダイオードへの測定干渉計の基準経路と関連付けられる。
【００７５】
例示的な実施形態は、これらの経路の遅延の変化を監視し、誤ったデータを信号で伝えて光ネットワークの基準経路内の動的位相シフトを補正するために使用し得る測定値を提供する。より具体的には、既知の信号、例えば、既知の周波数を有するリップル信号(ripple  signal)をレーザ内に注入することによって、その周波数での各遅延経路の位相を計算することができる。１つの例示的な実施において、その計算は高速フーリエ変換（ＦＦＴ）を実行することなく行われる。周波数／波長のセットに亘ってこの測定を実行することは、システム内の各検出チャネルの位相応答を生成する。
【００７６】
レーザターンアラウンド中に増幅器のポンプレーザを調整することに加えて、例示的な実施形態は、レーザターンアラウンド中にシステム内試験(in-system  testing)を実行する。これらの例示的な実施形態において、光学（例えば、ＯＦＤＲ）測定システム内のチューナブルレーザダイオード出力は、システム内の光学的遅延及び電気的遅延の変化を検出するよう変調される。以下の例における変調は、既知の信号、例えば、既知の周波数を有するリップルを、チューナブルレーザダイオード出力に注入することを含む。他の既知の信号又は変調技法が使用されてよい。
【００７７】
一定のレーザ出力がＯＦＤＲシステムにおいて望ましいので、チューナブルレーザ出力に存在するあらゆるリップルを低減し或いは補償するよう、制御システム及び処理アルゴリズムが特別に設計されてよい。一定のパワー出力を駆動させ且つ維持する典型的なダイオードドライバ回路が図９に例示されている。レーザダイオード３２を駆動させるダイオードドライバ３０は、アナログ及び／又はデジタル閉ループ制御方式を介して制御される電流源であってよい。ドライバ３０は、開ループ式にレーザの掃引サイクルの特定の場所で電流を所定のレベルに調整するようプロセッサによって取り出される、メモリに格納される値のルックアップ表であってよい。この表は、時間の経過に亘ってレーザパワーレベルを維持するよう、内部及び／又は外部制御プロセスによって定期的に更新されてよい。
【００７８】
レーザパワーにおける望まれない変調は、広帯域ノイズの形態において或いは実際にはセンサ又はＤＵＴに存在しない反射事象として、ＯＦＤＲ測定に誤差を導入し得る。従来的な考え方とは対照的に、例示的な実施形態は、ＯＦＤＲ測定を劣化させないように取られるステップを用いて、リップルをレーザダイオード出力信号内に意図的に注入する。
【００７９】
図１０は、変調器３４と共にレーザダイオードドライバ３０を描写しており、その出力は、コンバイナ３６(combiner)によって結合され、レーザダイオード３２に供給される。変調器３４は、様々な方法で実施されることができ、例えば、信号をまとめて送ること又は加算器(adder)として構成されるオペアンプを使用して信号を加算することのような、様々な方法でダイオードドライバ３０信号と結合されることができる。
【００８０】
変調器３４の一例が図１１に示されており、変調器３４は、プロセッサ制御されたデジタルアナログ変換器（ＤＡＣ）４０と、電圧制御された発振器（ＶＣＯ）４２と、信号利得制御及び低域フィルタリングをもたらす能動フィルタ４４とを含む。この例示的な実施形態において、プロセッサ５は、ＤＡＣ４０出力電圧を所望の値に設定することによって、ＶＣＯ４２の出力信号周波数を選択する。次に、この信号をレーザダイオード駆動信号に加えることによって、ＶＣＯ４２出力信号を変調器として使用してよい。振幅及びノイズレベルのような所望の信号特性に依存して、追加的なフィルタリング／増幅４４が適用されてよい。例示的なプロセッサ５は、フィールドプログラマブルゲートアレイ（ＦＰＧＡ）、マイクロコントローラ、デジタル信号プロセッサ、又は他のプロセッサを含む。この変調アプローチの１つの不利点は、変調される信号と検出される光信号との間の位相差を測定するために、追加的なデータ取得チャネルがＶＣＯ出力の周波数を測定するために必要とされることである。
【００８１】
変調器３４の他の例示的な実施形態が図１２に示されており、変調器３４は、数値制御された発振器（ＮＣＯ）４６を有する或いは制御するプロセッサ５を含む。ＮＣＯ４６は、所望の周波数にある正弦波を表すデジタル出力を生成する。このデジタル出力から、ＮＣＯ出力の最上位ビット（ＭＳＢ）４８に対応するクロック信号が生成される。プロセッサ５から出力されるデジタルクロック信号を、フィルタ／成形器５０(shaper)によって低域フィルタリングして、デジタルクロック信号のコンテンツを帯域制限する(band  limit)。１つの例示的なフィルタ／成形器５０は、ＲＣフィルタである。この例示的な実施形態において、フィルタリングされるクロック信号は、レーザ出力にリップルを注入するためにレーザダイオード駆動信号に加えられる変調信号である。この技術は、最小限の外部部品のみを必要とし、リップル信号（クロック）がプロセッサ５から直接的に供給されるという利点を有する。その結果として、プロセッサ５は、リップル信号の周波数を知るので、変調信号の周波数を決定するのに追加的な測定は要求されない。これらの構成は、ＯＦＤＲシステムにおいて高分解能位相差測定を行うときに有利である。
【００８２】
この種類の変調器の追加でレーザダイオードを駆動させることは、光学及び電子検出回路構成、例えば、既知の振幅変調の全ての経路を通じて既知の周波数リップル信号成分を搬送する、レーザ光を生成する。光ネットワークの基準経路を横断した光を測定することで、ＯＦＤＲシステム内の各測定チャネルでの振幅変調信号がデータ取得エレクトロニクス４において検出される。変調された周波数で最初に注入されたリップルから各チャネル（各チャネルはマルチコアファイバセンサ内のコアに対応する）で検出されるリップル信号の位相差が測定され、この位相差はチャネル間の光学的及び電気的遅延差の測定値である。
【００８３】
例示的な変調及び測定システムが図１３に示されている。一例として、ＮＣＯ４６が１２．５ＭＨｚに設定され、ＭＳＢ４８が、フィルタ／成形器５０に送られて、３６でダイオードドライバ３０からのレーザ出力と結合される、クロック信号として使用されると仮定する。その場合、変調されたドライバ出力は、光ネットワーク２を掃引するために使用されるチューナブルレーザ３２を駆動させる。Ｎ個のチャネルについての光ネットワーク応答は、フォトダイオード５２によって検出され、対応するＮ個の電気信号は調整され（５４）、ＡＤＣ５６によってＮ個のコアＯＤＦＲ測定チャネルに対応するＮ個のデジタル信号に変換される。ＤＳＰ又はプロセッサ５８によってＮ個のチャネルデジタル信号を処理して、Ｎ個の異なるチャネル位相を生成し、１つの共通のチャネルの位相に対する各々の決定されたチャネル位相の間のＮ−１個の位相差信号を計算して出力する。共通チャネルは、ＯＦＤＲチャネルの１つとして選択されてよい。
【００８４】
Ｎ個のチャネルからのデータは、時間領域内でプロセッサ５によって取得され、それは各地点が特定の周波数、例えば、２００ＭＨｚでサンプリングされることを意味する。各チャネルについての注入リップルの位相を決定するために、データ線形化を実行することを必要とすることなく、高速フーリエ変換（ＦＦＴ）が各チャネルからの測定データに対して実行される。これは、ＯＦＤＲ測定データが測定の過程の間にレーザ同調速度に基づいて先ず線形化され或いは再サンプリングされなければならない、センサ／ＤＵＴ  ＯＦＤＲ測定のための処理と異なる。ＦＦＴが非線形化された測定データに対してひとたび実行されると、（この例では）１２．５ＭＨｚ変調信号に対応するインデックス(index)１２，５００でデータ内にピークが観測される。Ｎ個のチャネル間の位相差を決定するために、ＤＳＰ５８はＦＦＴ結果を取り、各チャネルについてインデックス１２，５００での複素地点(complex  point)の位相を計算し、変調周波数で検出される信号の位相を決定する。次に、１つの共通チャネル（例示的なチャネル０）が全てのＮ個のチャネルから減算される。共通チャネル０に対するＮ−１個のチャネルの各々からのこれらの結果として得られるＮ−１個の位相差は、ファイバセンサ内のＮ個のコア間のＮ−１個の遅延差を示す。ファイバ内のＮ個のコア間のＮ−１個の遅延差は、ＯＦＤＲ測定から除去されないならば、例えば、形状感知用途において、有意な誤差を生成し得る。
【００８５】
ＤＵＴ又はセンサの周波数範囲に亘ってＮＣＯ４６を掃引することによって、各周波数での各ＯＦＤＲ測定チャネルの位相が計算されて、周波数の関数として各コア測定チャネルについての電子取得及び検出回路構成並びに光ネットワークの基準経路の位相応答が得られる。この位相応答は、各測定チャネル間の位相差を補正するために使用される。加えて、変化に関してこの位相応答を監視することは、光学的及び電気的な遅延経路の変化の結果として誘発される測定誤差を検出するフィードバックを提供するために使用されてよい、光ネットワーク及びエレクトロニクス内の遅延経路のリアルタイム監視を提供する。
【００８６】
本発明者は、ＦＦＴの単一地点のみの位相が必要とされるため、この例では変調信号を供給するために使用されるＮＣＯの出力である変調器と同じ周波数を使用してＮ個のチャネルから得られるデータをベースバンド(baseband)に混合することによって完全なＦＦＴを実行することなく、位相を計算することができることを認識した。ひとたびベースバンドになると、各チャネルのＤＣ項(DC  term)は、位相を計算して共通チャネルと比較する地点になる。位相は、各チャネルのベースバンド信号の複素成分(complex  components)を累積し、結果として得られる複素値(complex  value)の位相を計算することによって、計算される。これらの操作を、例えば、ＤＳＰ又はＦＰＧＡにおいて実行することができる。
【００８７】
そのようなＤＳＰ処理の一例が図１４に示されている。Ｎ個のコアＯＦＤＲ測定からのＮ個のデジタルサンプルを、ミキサ６０内でＮＣＯ４６からの出力信号と混合する。ミキサ６０は、複素ＮＣＯ４６出力（サイン及びコサイン）によって各チャネルを掛ける。６２で、複素混合信号を累積（合計）し、複素形式から極形式に変換して、位相を決定する。これらの位相値は、変調信号と各チャネルについて検出される信号との間の位相差を表す。チャネル間の位相差を得るために、６６で、１つの共通チャネルの位相をＮ個のチャネルの各々から減算し、チャネル間のＮ−１個の位相差を決定する。
【００８８】
図１５は、レーザダイオードリップル注入を使用して遅延監視を実行する例示的な手順を例示するフローチャートである。ＯＦＤＲシステムにエレクトロニクスを追加して、１以上の周波数でレーザダイオードを変調し（ステップＳ１０）、注入されたリップルの周波数（複数の周波数）を選択する（ステップＳ１１）。追加されたリップルは、センサの測定周波数範囲の外側にある周波数又は複数の周波数内に位置し、追加されたリップルがセンサ測定と干渉しないことを保証する（ステップＳ１２）。リップル信号をレーザダイオード出力に注入し（ステップＳ１３）、変調周波数（複数の変調周波数）で全ての監視されるチャネルについてＯＦＤＲデータ及び位相測定を行う（ステップＳ１４）。ＤＳＰは、Ｎ個のチャネル間の変調信号の位相差を計算し、光学的又は電気的な遅延の変化が生じたか否かを決定する（ステップＳ１５）。
【００８９】
（レーザ掃引エッジ及びターンアラウンドを使用して追加的測定を実行する）
変調されたレーザ光はセンサ測定と干渉することがあるが、干渉がファイバセンサ内の反射事象によって引き起こされることも可能である。本発明者は、この変調信号に対する線形化の効果が理解され且つ説明される必要があることを認識した。線形化は、レーザの瞬間同調速度に基づいて取得された測定データを再サンプリングするプロセスを指す。線形化プロセスの結果は、時間内というよりもむしろ光周波数内で均等に離間する測定データである。
【００９０】
図１６Ａは、線形化のない帯域外変調が変調源の周波数でセンサ格子に対して強い観測可能なピークをどのように生成するかを示している。変調信号を測定するために線形化は必要とされない。何故ならば、これはＯＦＤＲ測定ではなく、時間領域測定における振幅変調信号の測定に過ぎないからである。図１６Ｂは、そのような信号に対する線形化の影響を例示している。線形化プロセスの部分として行われる再サンプリングは、掃引されたレーザの同調速度変動に基づいて広範囲の周波数に亘ってこの信号を広げる。
【００９１】
レーザパワーを変調することは、この信号の変調周波数及びタイミングが考慮されないならば、実行される測定と干渉し得る。例えば、変調信号がファイバセンサに沿って含められるセンサ格子に近すぎるならば、データが線形化されるときに、変調信号がＯＦＤＲ格子測定と干渉することがある可能性がある。ＯＦＤＲベースの測定では、変調周波数がＯＦＤＲ測定の予想される周波数の範囲外にあるならば、レーザダイオードの変調をＯＦＤＲ測定と同じ時に行うことができる。しかしながら、ファイバセンサコネクタ及び終端反射が最小限に抑えられるよう注意しなければならない。さもなければ、これらの反射は、ＯＦＤＲ測定に誤差を導入し得るファイバセンサ内の変調の追加的な望まれない周波数を生成する変調信号と結合されるときに、干渉信号を生成し得る。
【００９２】
格子測定が実行されているならば、より高い格子強度は、変調信号の測定を損ない得る。本発明者は、この問題に対処する幾つかの選択肢を認識した。１つの選択肢は、変調周波数を格子ファイバの周波数の外側の周波数に制限することである。この選択肢の不利点は、測定誤差の可能性があることである。何故ならば、センサが実際に存在する場所の周波数が測定されていないからである。この不利点は、測定領域内の周波数からターンアラウンド周波数に変調を移動することによって取り除かれることがある。増幅器の応答及びターンアラウンドの持続時間に依存して、増幅器を完全にオフにすることができ、或いは増幅器利得を減少させることができる。増幅器利得を十分に低減させることは、格子反射を雑音フロアより下に低減させることができ、それにより、格子からの如何なる測定可能な干渉を伴わずに変調測定が実行されることを可能にする。
【００９３】
測定干渉を回避するために、例示的な実施形態は、図１７Ａ及び図１７Ｂに例示するように、レーザ掃引のターンアラウンド地点の間にレーザダイオード変調ベースの測定を実行する。図１７Ｂの例は、ターンアラウンド時間の間にのみ発生する変調を示しているが、何らかの変調がターンアラウンド時間の外側で又は連続的に発生することがある実施形態があってよい。
【００９４】
本発明者は、これらのレーザ掃引ターンアラウンド地点が、更なる修正を行い、確認を実行し、且つ他の動的調整を行う、機会を提供することを認識した。レーザのこの連続的な掃引作用を、図１８のグラフに例示する異なる区画に更に分解することができる。
【００９５】
１つの例示的な実施形態は、レーザ掃引ターンアラウンドを使用して、ファイバセンサ波長を超える追加的なＯＦＤＲ測定データ取得を実行する。例えば、ブラッググレーティングを含むファイバセンサの場合、既知の波長範囲内の光を反射するよう格子反射を設計し或いはファイバを制限することができる。連続的なレーザ掃引は、ターンアラウンドが、それらのＯＦＤＲ測定値がファイバセンサから得られる波長範囲を超えるように、即ち、図１９に示すレーザ掃引の高速上昇部分及び高速下降部分を超えるように、構成される。これはＯＦＤＲ測定がレーザ掃引のターンアラウンド部分における追加的な波長範囲に亘って行われることを可能にする。追加的な範囲を含むようターンアラウンドを拡張することは、（ブラッググレーティングベースのＯＦＤＲ測定とは異なる）レイリー散乱ベースのＯＦＤＲ測定を実行することも可能にする。
【００９６】
格子の周波数範囲又は主ＯＦＤＲ測定値を超えるデータを取得することに加えて、図１９に例示するようなレーザ掃引のより遅い掃引速度部分で帯域外(out  of  band)ＯＦＤＲ測定値を取ることができる。これらの部分においてレーザ掃引速度を遅くすることによって、ファイバセンサに沿うより長い距離に亘って帯域外ＯＦＤＲ測定を行うことができる。
【００９７】
ＯＦＤＲ測定範囲の例示的な拡張が図２０Ａ及び図２０Ｂに例示され居ている。図２０Ａは、ファイバセンサに沿うより速い掃引速度及びより短い遅延又は長さでの例示的なファイバブラッググレーティング振幅測定を描いている。より広いレーザ掃引又は走査範囲を利用することは、より高い分解能をもたらすが、より速い掃引速度は、ナイキスト速度(Nyquist  rate)（即ち、信号内に存在する最高周波数の二倍である、誤差を導入せずに信号をサンプリングすることができる最低速度）が、０ｎｓからより短い遅延／距離に配置されるときに、より短い測定範囲をもたらす。図２０Ｂは、より遅く、より低い分解能掃引のグラフを示している。より遅い掃引速度及び格子の範囲を超える光周波数を利用することの結果として、感知ファイバの反射事象を超える反射事象を測定することができる。
【００９８】
図２１は、追加的な測定を行うためにレーザ掃引エッジ及びターンアラウンドを利用する例示的な手順を示すフローチャートである。レーザは、例えば、追加的な測定を行うための所望の掃引速度及びパワーを含む、所望の掃引挙動を実行するように構成される（ステップＳ２０）。所望の数の測定地点及び測定の波長範囲のような取得特異なパラメータ及び波長特異なデータ取得開始場所を決定する（ステップＳ２１）。データ取得回路構成は、特定される波長範囲に亘ってＯＤＦＲ測定値を取得して処理する（ステップＳ２２）。
【００９９】
図２２は、ポンプレーザのパワーレベルを調整する周波数特異なパワーレベル及び上述の例のうちの１つのようなレーザ変調器のような上からの多数の構成を含むＯＦＤＲシステムの一例を例示している。例示的な実施形態によれば、メモリ３５に格納される周波数特異なパワーレベルの表が、ポンプレーザパワーレベルを制御するために検出、取得、及び制御エレクトロニクス４内の制御回路構成を処理することによって使用される。変調器３４の出力は、ダイオードドライバ回路３０の出力と結合して、例えば、前の段落で記載した理由のために、チューナブルレーザ１の出力パワーを制御し、且つ／或いは、例えば、この段落で記載したばかりの理由のために、レーザ出力内に変調信号を注入する。
【０１００】
上述の技術は、光ネットワーク測定の精度及び信頼性を向上させるための幅広い多様な用途を有する。形状感知出力の精度及び信頼性に関して高度の信用を要求するＯＦＤＲ測定機器に連結される形状感知ファイバについての１つの非限定的な用途は、外科又は他の環境で使用されるロボットアームである。図２３は、上述の様々な技術的構成及び／又は実施形態のうちの１以上が使用されてよいロボット手術アームのための光ファイバ形状感知システムの例示的な使用を示している。
【０１０１】
様々な実施形態を示し且つ詳細に記載したが、請求項は如何なる特定の実施形態又は例にも限定されない。上述の記述は、いずれも、特定の要素、ステップ、範囲又は機能が、請求項の範囲に含まれなければならないというように必須であることを暗示するものとして読まれてならない。法的保護の範囲は、許可された請求項及びそれらの均等物に列挙される用語によって定義される。当業者に知られている上述の好ましい実施形態の要素に対する全ての構造的及び機能的な同等物は、本明細書中に参照として明示的に援用され、本請求項によって包摂されることが意図されている。その上、デバイス又は方法は、本発明の請求項に包含されるために、記載される技術によって解決されることが求められているありとあらゆる課題に対処する必要はない。「〜のための手段」又は「〜のためのステップ」という用語が使用されていない限り、如何なる請求項も、３５ＵＳＣ§１１２の第６項を発動することを意図していない。更に、この明細書中の実施形態、構成、コンポーネント、又はステップは、いずれも、それらの実施形態、構成、コンポーネント、又はステップが請求項に列挙されているか否かに拘わらず、公衆に捧げられることを意図していない。
【図１】
2019521339.tif 000007
【図２】
2019521339.tif 000008
【図３】
2019521339.tif 000009
【図４】
2019521339.tif 000010
【図５】
2019521339.tif 000011
【図６Ａ】
2019521339.tif 000012
【図６Ｂ】
2019521339.tif 000013
【図７】
2019521339.tif 000014
【図８】
2019521339.tif 000015
【図９】
2019521339.tif 000016
【図１０】
2019521339.tif 000017
【図１１】
2019521339.tif 000018
【図１２】
2019521339.tif 000019
【図１３】
2019521339.tif 000020
【図１４】
2019521339.tif 000021
【図１５】
2019521339.tif 000022
【図１６Ａ】
2019521339.tif 000023
【図１６Ｂ】
2019521339.tif 000024
【図１７Ａ】
2019521339.tif 000025
【図１７Ｂ】
2019521339.tif 000026
【図１８】
2019521339.tif 000027
【図１９】
2019521339.tif 000028
【図２０Ａ】
2019521339.tif 000029
【図２０Ｂ】
2019521339.tif 000030
【図２１】
2019521339.tif 000031
【図２２】
2019521339.tif 000032
【図２３】
2019521339.tif 000033
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
複数の光コアを含む光ファイバセンサを測定する光周波数領域反射測定法（ＯＦＤＲ）呼掛けシステムであって、
波長に亘ってレーザ光を掃引するように構成されるチューナブルレーザと、
既知の変調を前記チューナブルレーザの出力に加えて、掃引されるレーザ光を生成するように構成される、変調器であって、前記掃引されるレーザ光は、前記既知の変調を含む、変調器と、
前記掃引されるレーザ光を前記光ファイバセンサに提供するように構成され、前記光ファイバセンサからの反射光を出力するように構成される、光干渉ネットワークであって、前記出力される反射光は、前記複数の光コアの各光コアについて、前記掃引されるレーザ光の反射を含み、前記出力される反射光は、センサデータに対応する、光干渉ネットワークと、
前記既知の変調に基づいて、前記複数の光コアの異なる光コアと関連付けられる前記出力される反射光の間の位相差を決定し、前記位相差に基づいて前記センサデータを処理する、ように構成される、データ処理回路構成とを含む、
ＯＦＤＲ呼掛けシステム。
【請求項２】
前記データ処理回路構成は、前記光ファイバセンサからの前記出力される反射光の位相応答を監視して、遅延経路変化からの測定誤差を検出する、ように更に構成される、請求項１に記載のＯＦＤＲ呼掛けシステム。
【請求項３】
出力を備えるレーザドライバを更に含み、該レーザドライバは、前記出力を使用して前記レーザ光を掃引するよう、前記チューナブルレーザを駆動させ、前記変調器は、前記レーザドライバの前記出力に連結される、請求項１又は２に記載のＯＦＤＲ呼掛けシステム。
【請求項４】
当該ＯＦＤＲ呼掛けシステムは、第１の測定範囲の波長内で前記光ファイバセンサを測定するように構成され、
前記チューナブルレーザは、レーザ光周波数が前記第１の測定範囲のより低い光周波数から前記第１の測定範囲のより高い光周波数に増大する上昇掃引と、前記レーザ光周波数が前記より高い光周波数から前記より低い光周波数に減少する下降掃引と、前記上昇掃引と前記下降掃引との間で移行するターンアラウンド部分とを含めることによって、前記レーザ光を掃引するように構成され、
前記変調器は、前記ターンアラウンド部分の間に前記既知の変調を前記掃引されるレーザ光に加えるように構成される、
請求項１乃至３のうちのいずれか１項に記載のＯＦＤＲ呼掛けシステム。
【請求項５】
当該ＯＦＤＲ呼掛けシステムは、第１の測定範囲の波長内で前記光ファイバセンサを測定するように構成され、
前記変調器は、前記第１の測定範囲の波長の外側の波長を備える変調を加えることによって、前記既知の変調を加えるように構成される、
請求項１乃至３のうちのいずれか１項に記載のＯＦＤＲ呼掛けシステム。
【請求項６】
前記データ処理回路構成は、
前記位相差に基づいて前記異なる光コアの間の遅延差を決定し、且つ該遅延差を補正することによって、
前記位相差に基づいて前記センサデータを処理するように構成される、
請求項１乃至５のうちのいずれか１項に記載のＯＦＤＲ呼掛けシステム。
【請求項７】
前記光ファイバセンサからの前記出力される反射光を対応する信号に変換するように構成される検出回路構成を更に含み、
前記データ処理回路構成は、
前記既知の変調を創り出すために使用される信号を前記対応する信号と混合して混合信号を生成し、該混合信号を累積させて累積信号を生成し、且つ該累積信号を使用して前記対応する信号の位相を決定することによって、
前記位相差を決定するように構成される、
請求項１乃至６のうちのいずれか１項に記載のＯＦＤＲ呼掛けシステム。
【請求項８】
前記既知の変調は、振幅変調を含む、請求項１乃至７のうちのいずれか１項に記載のＯＦＤＲ呼掛けシステム。
【請求項９】
前記データ処理回路構成は、前記処理されるセンサデータに基づいて前記光ファイバセンサの形状を決定するように更に構成される、請求項１乃至８のうちのいずれか１項に記載のＯＦＤＲ呼掛けシステム。
【請求項１０】
複数の光コアを含む光ファイバセンサを測定するために光周波数領域反射測定法（ＯＦＤＲ）呼掛けシステムを使用する方法であって、
既知の変調をチューナブルレーザの出力に加えて、前記既知の変調を含む掃引されるレーザ光を生成するステップと、
光干渉ネットワークを使用して、前記掃引されるレーザ光を前記光ファイバセンサに提供し、前記光ファイバセンサからの反射光を出力する、ステップであって、前記出力される反射光は、前記複数の光コアの各光コアについて、前記掃引されるレーザ光の反射を含み、前記出力される反射光は、センサデータに対応する、ステップと、
前記既知の変調に基づいて、前記複数の光コアの異なる光コアと関連付けられる前記出力される反射光の間の位相差を決定するステップと、
該位相差に基づいて前記センサデータを処理するステップとを含む、
方法。
【請求項１１】
前記ＯＦＤＲ呼掛けシステムは、第１の測定範囲の波長内で前記光ファイバセンサを測定するように構成され、
前記第１の測定範囲の波長に亘ってレーザ光を掃引するステップが、
レーザ光周波数が前記第１の測定範囲のより低い光周波数から前記第１の測定範囲のより高い光周波数に増大する上昇掃引を含めるステップと、
前記レーザ光周波数が前記より高い光周波数から前記より低い光周波数に減少する下降掃引を含めるステップと、
前記上昇掃引と前記下降掃引との間で移行するターンアラウンド部分を含めるステップとを含み、
前記既知の変調を加えるステップが、前記ターンアラウンド部分の間に前記既知の変調を加えるステップを含む、
請求項１０に記載の方法。
【請求項１２】
前記ＯＦＤＲ呼掛けシステムは、第１の測定範囲の波長内で前記光ファイバセンサを測定するように構成され、
前記既知の変調を加えるステップが、前記第１の測定範囲の波長の外側の波長を備える変調を加えるステップを含む、
請求項１０に記載の方法。
【請求項１３】
前記位相差に基づいて前記センサデータを処理するステップは、
前記位相差に基づいて前記異なる光コアの間の遅延差を決定するステップと、
該遅延差を補正するステップとを含む、
請求項１０乃至１２のうちのいずれか１項に記載の方法。
【請求項１４】
前記既知の変調は、振幅変調を含み、
当該方法は、前記処理されるセンサデータを使用して前記光ファイバセンサの形状を決定するステップを更に含む、
請求項１０乃至１３のうちのいずれか１項に記載の方法。
【請求項１５】
複数の機械可読命令を含む非一時的な機械可読媒体であって、
前記複数の機械可読命令は、チューナブルレーザと、光干渉ネットワークとを含み、複数の光コアを含む光ファイバセンサを測定するように構成される、光周波数領域反射測定法（ＯＦＤＲ）呼掛けシステムと関連付けられる、１つ又はそれよりも多くのプロセッサによって実行されるときに、該１つ又はそれよりも多くのプロセッサに、請求項１０乃至１４のうちのいずれか１項に記載の方法を実行させるように、構成される、
非一時的な機械可読媒体。
【国際調査報告】
2019521339.tif 000034
2019521339.tif 000035